【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
災害に関する情報を登録する項目を一覧形式で表現した情報登録用フォームの型を、災害の種別に応じて選択する型選択手段と、
前記選択された型の前記情報登録用フォームであって、登録項目および既に登録された前記災害に関する情報を含む前記情報登録用フォームを生成するフォーム生成手段と、
前記生成された前記情報登録用フォームを出力する出力手段と、
予め設定されている時間経過条件にしたがって、情報保持手段に保持されている前記災害に関する情報の内容を更新する更新手段と、
を備えることを特徴とする画像処理装置。
【請求項２】
前記出力手段は、画像形成部により前記情報登録用フォームの画像が形成された登録用媒体を出力することを特徴とする請求項１に記載の画像処理装置。
【請求項３】
前記情報登録用フォームへの入力を受け付ける受付手段をさらに備え、
前記情報保持手段は、前記受け付けた前記災害に関する情報を保持することを特徴とする請求項１に記載の画像処理装置。
【請求項４】
前記災害に関する情報を管理する管理装置と通信する通信手段をさらに備え、
前記通信手段は、前記受付手段により受け付けられた前記災害に関する情報を前記管理装置に送信することを特徴とする請求項３に記載の画像処理装置。
【請求項５】
前記災害に関する情報が記入された前記登録用媒体から読み取られた画像に基づき記入情報を抽出する記入情報抽出手段をさらに備え、
前記情報保持手段は前記抽出された前記記入情報を保持することを特徴とする請求項１に記載の画像処理装置。
【請求項６】
災害に関する情報を登録するための項目を一覧形式で表現した情報登録用フォームの型を、災害の種別に応じて選択する型選択手段と、
前記災害に関する情報を保持する情報保持手段と、
前記選択された型の前記情報登録用フォームであって、登録項目と前記情報保持手段に保持されている前記災害に関する情報とを含む前記情報登録用フォームを生成するフォーム生成手段と、
生成された前記情報登録用フォームを出力する出力手段と、
前記情報登録用フォームへの入力を受け付ける受付手段と、
予め設定されている時間経過条件にしたがって、前記情報保持手段に保持されている前記災害に関する情報の内容を更新する更新手段と、
を備えることを特徴とする画像処理システム。
【請求項７】
前記出力手段は、画像形成部により前記情報登録用フォームの画像が形成された登録用媒体を出力し、
前記受付手段は、前記災害に関する情報が記入された前記登録用媒体の画像を読み取り、記入情報を抽出することを特徴とする請求項６に記載の画像処理システム。
【請求項８】
前記災害に関する情報を管理する管理装置と、
前記管理装置と通信する通信手段をさらに備え、
前記通信手段は、前記受付手段により受け付けられた前記災害に関する情報を前記管理装置に送信することを特徴とする請求項６に記載の画像処理システム。
【請求項９】
コンピュータに
災害に関する情報を登録するための項目を一覧形式で表現した情報登録用フォームの型を、災害の種別に応じて選択する型選択機能と、
前記選択された型の前記情報登録用フォームであって、登録項目と情報保持手段に既に保持されている前記災害に関する情報を含む前記情報登録用フォームを生成するフォーム生成機能と、
前記生成された前記情報登録用フォームを出力する出力機能と、
予め設定されている時間経過条件にしたがって、前記情報保持手段に保持されている前記災害に関する情報の内容を更新する更新機能と、
を実現させることを特徴とするプログラム。
【請求項１０】
前記情報登録用フォームへの入力を受け付け、受け付けた前記災害に関する情報を前記情報保持手段に保持させる受付機能を前記コンピュータにさらに実現させることを特徴とする請求項９に記載のプログラム。
【手続補正２】
【補正対象書類名】明細書
【補正対象項目名】０００７
【補正方法】変更
【補正の内容】
【０００７】
かかる技術的課題を解決するために、本発明が適用される画像処理装置は、災害に関する情報を登録する項目を一覧形式で表現した情報登録用フォームの型を、災害の種別に応じて選択する型選択手段と、選択された型の情報登録用フォームであって、登録項目および既に登録された災害に関する情報を含む情報登録用フォームを生成するフォーム生成手段と、生成された情報登録用フォームを出力する出力手段と、予め設定されている時間経過条件にしたがって、情報保持手段に保持されている災害に関する情報の内容を更新する更新手段と、を備える。
【手続補正３】
【補正対象書類名】明細書
【補正対象項目名】０００８
【補正方法】変更
【補正の内容】
【０００８】
より具体的には、出力手段は、画像形成部により情報登録用フォームの画像が形成された登録用媒体を出力する。
また、情報登録用フォームへの入力を受け付ける受付手段をさらに備え、情報保持手段は、受け付けた災害に関する情報を保持する。
また、災害に関する情報を管理する管理装置と通信する通信手段をさらに備え、通信手段は、受付手段により受け付けられた災害に関する情報を管理装置に送信する。
また、災害に関する情報が記入された登録用媒体から読み取られた画像に基づき記入情報を抽出する記入情報抽出手段をさらに備え、情報保持手段は抽出された記入情報を保持する。
【手続補正４】
【補正対象書類名】明細書
【補正対象項目名】０００９
【補正方法】変更
【補正の内容】
【０００９】
上記目的を達成する他の発明は、次のような画像処理システムとして実現される。このシステムは、災害に関する情報を登録するための項目を一覧形式で表現した情報登録用フォームの型を、災害の種別に応じて選択する型選択手段と、災害に関する情報を保持する情報保持手段と、選択された型の情報登録用フォームであって、登録項目と情報保持手段に保持されている災害に関する情報とを含む情報登録用フォームを生成するフォーム生成手段と、生成された情報登録用フォームを出力する出力手段と、情報登録用フォームへの入力を受け付ける受付手段と、予め設定されている時間経過条件にしたがって、情報保持手段に保持されている災害に関する情報の内容を更新する更新手段と、を備える。
【手続補正５】
【補正対象書類名】明細書
【補正対象項目名】００１０
【補正方法】変更
【補正の内容】
【００１０】
より具体的には、出力手段は、画像形成部により情報登録用フォームの画像が形成された登録用媒体を出力し、受付手段は、災害に関する情報が記入された登録用媒体の画像を読み取り、記入情報を抽出する。
さらに好ましくは、災害に関する情報を管理する管理装置と、管理装置と通信する通信手段をさらに備え、通信手段は、受付手段により受け付けられた災害に関する情報を管理装置に送信する。
【手続補正６】
【補正対象書類名】明細書
【補正対象項目名】００１１
【補正方法】変更
【補正の内容】
【００１１】
上記の目的を達成するさらに他の発明であるプログラムは、コンピュータに次の機能を実現させる。すなわち、災害に関する情報を登録するための項目を一覧形式で表現した情報登録用フォームの型を、災害の種別に応じて選択する型選択機能と、選択された型の情報登録用フォームであって、登録項目と情報保持手段に既に保持されている災害に関する情報を含む情報登録用フォームを生成するフォーム生成機能と、生成された情報登録用フォームを出力する出力機能と、予め設定されている時間経過条件にしたがって、情報保持手段に保持されている災害に関する情報の内容を更新する更新機能と、を実現させる。
【手続補正７】
【補正対象書類名】明細書
【補正対象項目名】００１２
【補正方法】変更
【補正の内容】
【００１２】
また、情報登録用フォームへの入力を受け付け、受け付けた災害に関する情報を情報保持手段に保持させる受付機能をコンピュータにさらに実現させる。
【手続補正８】
【補正対象書類名】明細書
【補正対象項目名】００１３
【補正方法】変更
【補正の内容】
【００１３】
請求項１に係る発明によれば、災害の種別に応じて適切な情報登録用フォームを生成し、この情報登録用フォームにより、時間経過によって変化する災害に関する情報を迅速に収集することができる。
請求項２に係る発明によれば、情報登録用フォームの画像が形成された登録用媒体に災害に関する情報を入力することができる。
請求項３に係る発明によれば、災害に関する情報の収集を、本発明を採用しない場合と比較してより効果的に行うことができる。
請求項４に係る発明によれば、災害に関する情報を管理装置に集約することができる。
請求項５に係る発明によれば、災害の情報を装置の前で手入力しなくても済む。
請求項６に係る発明によれば、災害の種別に応じて適切な情報登録用フォームを生成し、この情報登録用フォームにより、時間経過によって変化する災害に関する情報を迅速に収集することができる。
請求項７に係る発明によれば、情報登録用フォームの画像が形成された登録用媒体に災害に関する情報を入力することができる。
請求項８に係る発明によれば、災害に関する情報を管理装置に集約することが可能となる。
請求項９に係る発明によれば、画像処理装置として機能するコンピュータにおいて、災害の種別に応じて適切な情報登録用フォームを生成し、この情報登録用フォームにより、時間経過によって変化する災害に関する情報を迅速に収集することができる。
請求項１０に係る発明によれば、画像処理装置として機能するコンピュータにおいて、本発明を採用しない場合と比較してより効果的に災害に関する情報の収集を行うことができる。